(57)【要約】【課題】  あらゆる方向の力に対しても十分な食い付き効果又は投錨効果を発揮し得て、コンクリート等からの剥離を有効に防止することの出来るエンボス部を有する建築用金属板材を提供すること。【解決手段】  板材裏面側に突出し、表面側で凹むようなエンボス部６が形成され、このエンボス部６が突出する板材裏面側にコンクリート等の無機質充填材が接するように使用される建築用金属板材において、エンボス部６はその突端６ａ側が基端６ｂ側よりも径大となるように形成されている。【選択図】  図１
2005146526.tif 000002
【特許請求の範囲】
【請求項１】
板材裏面側に突出し、表面側で凹むようなエンボス部が形成され、このエンボス部が突出する板材裏面側にコンクリート等の無機質充填材が接するように使用される建築用金属板材において、エンボス部はその突端側が基端側よりも径大となるように形成されていることを特徴とする建築用金属板材。
【請求項２】
穴入口部の径が穴底部の径より小さいエンボス部成形穴を形成する分割型よりなる雌型と、先端部が凸曲面状に形成されて、雌型のエンボス部成形穴に対し挿脱可能な雄型と、の間に金属板材を配置し、雌型内に雄型のエンボス部成形穴に突入させてエンボス部を成形した後、分割型どうしを互いに引き離すようにすることを特徴とする請求項１に記載の建築用金属板材に形成されるエンボス部の形成方法。
【発明の詳細な説明】
【技術分野】
【０００１】
本発明は、板材裏面側に突出し、表面側に凹むようなエンボス部が形成されて、その裏面側にコンクリート等の無機質充填材が接するように使用される建築用金属板材に関するもので、例えば、鋼板製中空パネル本体内にコンクリートを装填した床や壁用のパネル、あるいは床スラブ等を形成するデッキプレートに使用される。
【背景技術】
【０００２】
図８は鋼板製の中空パネル本体１内にコンクリート２が装填されてなる床用パネル３を示し、図９の(a) は床用パネル３の一部拡大断面斜視図、(b) は一部拡大断面図である。この床用パネル３の中空パネル本体１は、夫々断面略々コ字状に形成すると共に長手方向側縁部に接合用係嵌部４ａ，４ａを形成した一対のパネル部材４，４が互いに接合用係嵌部４ａ，４ａどうし係嵌されてかしめられて形成されたもので、各パネル部材４が鋼板材（金属板材）からなる。また、中空パネル本体１の両開口端部が夫々端部塞ぎ部材５で塞がれると共に、この中空パネル本体１にコンクリート２が充填されることによって、床用パネル３が形成される。
【０００３】
中空パネル本体１を形成するパネル部材４は、上記のように比較的薄い鋼板材からなるものであるが、このパネル部材４（鋼板材）には、図９の(a) に示すように、パネル（板材）裏面側に突出し、表面側に凹むようなエンボス部１６が形成されることが多い。このエンボス部１６は、パネル部材４とコンクリート２とを一体化するために設けられるものである。
【０００４】
即ち、床用パネル３のように歩行面が鋼板材（パネル部材４）で形成される場合には、その内部のコンクリート２の乾燥収縮で鋼板材４とコンクリート２との間に微小な隙間ができると、その微小隙間により歩行時に金属音が発生して、室内騒音の原因や歩行時の不快感につながることから、その鋼板材４に裏面側に突出するようなエンボス部１６を形成し、このエンボス部１６による食い付き効果又は投錨効果により、パネル部材４とコンクリート２とを一体化して両者の合成効果が発揮されるようにしている。
【発明の開示】
【発明が解決しようとする課題】
【０００５】
ところが、従来のパネル部材４に形成されているエンボス部１６は、図９の(a) 〜(c)
から分かるように、突端６ａ側が基端６ｂより径小となるように形成されることから、床用パネル３にその長手方向や幅方向の力が作用する時にはコンクリート２に対し食い付き効果又は投錨効果を発揮するが、床用パネル３の厚み方向の力が頻繁に作用すると、パネル部材４がコンクリート２から剥離し易くなる。特に、床用パネル３では、歩行時はもちろんのこと、大小種々の物体を置いたり移動させたりすることが多く、パネル３厚み方向の力が頻繁に作用するため、従来のようなエンボス部１６では鋼板材の剥離を有効に防止することが出来ない。
【０００６】
エンボス部１６によらずにパネル部材（鋼板材）のコンクリートからの剥離を防止する方法としては、パネル部材の裏面側にコ字枠片等からなる剥離防止部材を溶接やビス止めによって突設することが行われるが、この方法は、作業工数の増加と別部材による材料費の増大によって製作コストが高くつく。また、パネル部材として薄い鋼板材（メッキ鋼板材や塗装鋼板材）が使用されることが多いため、パネル部材への剥離防止部材の溶接は、溶け落ち等があって、非常に困難又は不可能となる。また、メッキ鋼板材の場合には溶接すると溶接部の錆止め補修が必要となり、コストをアップにつながる。また溶接では、熱影響によってひずみ変形するこめ、製品精度が悪くなる等の問題がある。
【０００７】
本発明は、上記のような問題点に鑑み、あらゆる方向の力に対しても十分な食い付き効果又は投錨効果を発揮し得て、コンクリート等からの剥離を有効に防止することの出来るエンボス部を有する建築用金属板材を提供することを目的とする。また、本発明は、この建築用金属板材に形成されるエンボス部の形成方法をも提供するものである。
【課題を解決するための手段】
【０００８】
請求項１に係る発明は、板材裏面側に突出し、表面側で凹むようなエンボス部６が形成され、このエンボス部６が突出する板材裏面側にコンクリート等の無機質充填材が接するように使用される建築用金属板材において、エンボス部６はその突端６ａ側が基端６ｂ側よりも径大となるように形成されていることを特徴とする。
【０００９】
請求項２に係る発明は、請求項１に記載の建築用金属板材に形成されるエンボス部６の形成方法であって、穴入口部１１の径が穴底部１２の径より小さいエンボス部成形穴９を形成する分割型７ａ，７ｂよりなる雌型７と、先端面１３が凸曲面状に形成され、雌型７のエンボス部成形穴９に対し挿脱可能な雄型８と、の間に金属板材４を配置し、雄型８を雌型７内のエンボス部成形穴９に突入させてエンボス部６を成形した後、分割型７ａ，７ｂどうしを互いに引き離すようにすることを特徴とする。
【発明の効果】
【００１０】
請求項１に係る発明の建築用金属板材によれば、金属板材に形成されるエンボス部は、その突端側が基端側よりも径大となるように形成されているから、あらゆる方向の力に対しても十分な食い付き効果又は投錨効果を発揮でき、この金属板材の裏面に接するコンクリート等の無機質充填材からの剥離を確実有効に防止することができる。
【００１１】
請求項２に係る発明のエンボス部の形成方法によれば、金属板材が雄型でエンボス部成形穴の内部に押し込まれてプレス成形される際に、曲面状に形成された雄型の先端面１３によりその金属材部分がエンボス部成形穴の穴底部側で外向き半径方向に有効に延伸されて、エンボス部成形穴の内周面形状に添って的確に成形され、良好にエンボス部が形成される。
【発明を実施するための最良の形態】
【００１２】
図１は図８に示される床用パネル３の中空パネル本体１の一部断面斜視図で、コンクリート２を除いた状態で示し、図２の(a) は中空パネル本体１内にコンクリート２が充填された状態の床用パネル３の一部拡大断面図、(b) はエンボス部１０を示す平面図である。中空パネル本体１は、夫々断面略々コ字状に形成すると共に長手方向側縁部に接合用係嵌部４ａ，４ａを形成した一対のパネル部材４，４が互いに接合用係嵌部４ａ，４ａどうし係嵌されてかしめられて形成されたものである。
【００１３】
パネル部材４は、厚さ０．８ｍｍ〜３．２ｍｍ程度の比較的薄い鋼板材（具体的には、亜鉛メッキ鋼板材、塗装鋼板材、ステンレス鋼板材など）からなるもので、このパネル部材４には、図２の(a) に示すように、パネル部材４の裏面側に突出し、パネル部材４の表面側に凹むようなエンボス部６が所要間隔おきに形成されており、各エンボス部６は、平面視円形状で、その突端６ａ側が基端６ｂ側よりも径大となるように形成されている。
【００１４】
図２の(a) に示すように、パネル部材４である鋼板材の厚さをｔとし、エンボス部６の鋼板材裏面からの突出高さをｈとすれば、ｈ＝１．５〜３ｔとされる。また、エンボス部６の平面視形状は、図２の(b) に示すような円形の他に、楕円形とされることもあるが、円形がより好ましい。
【００１５】
上記のようなエンボス部６を形成したパネル部材４，４からなる中空パネル本体１を備えた床用パネル３によれば、各エンボス部６は、その突端６ａ側が基端６ｂ側よりも径大となるように形成されているから、床用パネル３にその長手方向や幅方向の力が作用する時だけでなく、床用パネル３の厚み方向の力が作用する時にも、コンクリート２に対し十分な食い付き効果又は投錨効果を発揮することが出来る。特に、床用パネル３には、歩行時はもちろんのこと、大小種々の物体を置いたり移動させたりすることが多く、パネル３厚み方向の力が頻繁に作用し、更にその他のあるゆる方向に力が作用するけれども、このようなエンボス部６が形成されていることにより、パネル部材４の剥離が確実且つ有効に防止されて、コンクリート２とパネル部材４とが強固に一体化され、両者の合成効果が有効に発揮される。
【００１６】
次に、上記エンボス部６を形成する方法について、図３〜図５によって説明する。これの図において、７はエンボス部成形用の雌型、８は雄型を示す。雌型７は、穴入口部１１の径が穴底部１２の径よりも小さい平面視円形状のエンボス部成形穴９を形成する両側一対の分割型７ａ，７ｂからなるものである。尚、雌型７は三つ以上の分割型からなるものでもよい。雄型８は、図示のように、雌型７のエンボス部成形穴９に対して挿脱可能な円柱状に形成されている。
【００１７】
エンボス部成形穴９の穴底部１２は平坦面状に形成され、雄型８の先端面１３は凸曲面状に形成されている。この雄型８の凸曲面状先端面１３の勾配、つまり図３に示すように凸曲面状先端面１３とエンボス部成形穴９の穴底部１２との成す角度θは、４°〜５°が適当とされる。そして、雌型７のエンボス部成形穴９を形成する両側一対の分割型７ａ，７ｂは、雌型開閉駆動手段（図示省略）によって、図３及び図４に示すようにエンボス部成形穴９を形成する閉鎖位置と、図５に示すように互いに開放分離される開放位置とに開閉駆動されるようになっている。雄型８も、雄型進退駆動手段（図示省略）によって、雌型７のエンボス部成形穴９に対し進退駆動されるようになっている。
【００１８】
上記のように構成される雌型７及び雄型８を使用して、パネル部材である鋼板材４にエンボス部６を形成するには、先ず、図３に示すように、雌型７と、この雌型７のエンボス部成形穴９に対し挿脱可能な雄型８との間に鋼板材４を配置し、しかして雄型８を雌型７内のエンボス部成形穴９に突入させることによりエンボス部６を成形する。しかる後、雌型７を構成する分割型７ａ，７ｂどうしを互いに引き離し、雄型８を雌型７のエンボス部成形穴９から離脱させることによって、一つのエンボス部６の成形加工を終了する。
【００１９】
この場合、雌型７の分割型７ａ，７ｂは、エンボス部６を成形した後、図４に示す状態から左右方向へ互いに離れる方向に開放させてもよいが、図５の矢印で示すように斜め下方へ離間しながら互いに開放させるようにすれば、鋼板材４との分離が容易となる。
【００２０】
上記のようなエンボス部６の形成方法によれば、穴入口部１１の径が穴底部１２の径より小さいエンボス部成形穴９を形成する分割型７ａ，７ｂよりなる雌型７と、この雌型７のエンボス部成形穴９に対し挿脱可能な雄型８との間に鋼板材４を配置して、雄型８を雌型７内のエンボス部成形穴９に突入させると、この雄型８の先端部でエンボス部成形穴９の内部に押し込まれた鋼板材４の部分は、エンボス部成形穴９の内周面形状に沿うようにプレス成形され、突端６ａ側が基端６ｂ側より径大となったエンボス部６が形成され、図１及び図２によって説明したエンボス部６が有効に形成される。
【００２１】
また、この形成方法によれば、雄型８の先端面１３が凸曲面状に形成されているから、鋼板材４が雄型でエンボス部成形穴の内部に押し込まれてプレス成形される際に、曲面状に形成された雄型の先端面１３によりその鋼板材４の部分がエンボス部成形穴９の穴底部１２側で外向き半径方向に有効に延伸して、エンボス部成形穴の内周面形状に添って的確に成形され、良好にエンボス部６が形成されることになる。この場合、雄型８の凸曲面状先端面１３の勾配、つまり凸曲面状先端面１３とエンボス部成形穴９の穴底部１２との成す角度θを、４°〜５°に設定することにより、エンボス部成形穴９の穴底部１２側での鋼板材４部分の延び・広がりを有効に行わせて、エンボス部６をより良好に形成することができる。
【００２２】
こうしてエンボス部６を成形した後は、雌型７を構成する分割型７ａ，７ｂどうしを互いに引き離すようにするから、雌型７の離型に際して、突端６ａ側が基端６ｂ側より径大となるように成形されたエンボス部６を傷つけたり変形させることがない。
【００２３】
図６の(a) 及び(b) はデッキプレート１４を形成する鋼板材４にコンクリート２を打設して形成される床スラブ１５を示したものである。この場合、デッキプレート１４を形成する鋼板材４には、図１及び図２によって説明したものと同じ様なエンボス部６が形成される。即ち、鋼板材４には、鋼板材４の裏面側に突出し、その表面側に凹むようなエンボス部６が所要間隔おきに形成され、各エンボス部６は、図６の(b) に示すように平面視円形状で、その突端６ａ側が基端６ｂ側よりも径大となるように形成されている。このエンボス部６の形成方法については図３〜図５によって説明した通りである。
【００２４】
図７の(a) 及び(b) は、両側一対の合成型枠基礎パネル１６，１６間にコンクリート２を打設して形成される住宅用基礎１７を示したものである。この場合、合成型枠基礎パネル１６を形成する鋼板材４にエンボス部６が形成される。即ち、鋼板材４には、鋼板材４の裏面側に突出し、その表面側に凹むようなエンボス部６が所要間隔おきに形成され、各エンボス部６は、図７の(b) に示すように平面視円形状で、その突端６ａ側が基端６ｂ側よりも径大となるように形成されている。このエンボス部６の形成方法も図３〜図５によって説明した通りである。
【００２５】
以上説明した実施形態では、金属板材の裏面に接するように打設される無機質充填材としてコンクリートを例示したが、コンクリートの他に、エアーミルク、エアー入りコンクリート等が使用される。
【図面の簡単な説明】
【００２６】
【図１】図８に示される床用パネルの中空パネル本体の一部断面斜視図で、コンクリートを除いた状態で示す。
【図２】(a) は中空パネル本体内にコンクリートが充填された状態の床用パネルの一部拡大断面図、(b) はエンボス部を示す平面図である。
【図３】エンボス部の形成方法を示す説明図で、雄型と雌型との間に鋼板材（金属板材）を挿入した状態を示している。
【図４】同じくエンボス部の形成方法を示す説明図で、雄型を雌型のエンボス部成形穴に突入させてエンボス部を形成した状態を示す。
【図５】同じくエンボス部の形成方法を示す説明図で、エンボス部の形成後、雌型を形成する分割型を開放している状態を示す。
【図６】(a) はデッキプレートを形成する鋼板材にコンクリートを打設して形成される床スラブを示す断面図、(b) はエンボス部を示す平面図である。
【図７】(a) は、両側一対の型枠パネル間にコンクリートを打設して形成される住宅用基礎を示す断面図、(b) はエンボス部を示す平面図である。
【図８】空パネル本体内にコンクリートが装填されてなる床用パネルを示す斜視図である。
【図９】(a) は従来のエンボス部を形成した床用パネルの一部拡大斜視図、(b) は同床用パネルの断面図、(c) は同床用パネルのエンボス部を示す平面図である。
【符号の説明】
【００２７】
４            鋼板材（金属板材）
６            エンボス部
６ａ          エンボス部の突端
６ｂ          エンボス部の基端
７            雌型
７ａ，７ｂ    分割型
８            雄型
９            エンボス部成形穴
１１          エンボス部成形穴の穴入口部
１２          エンボス部の穴底部
【図１】
2005146526.tif 000003
【図２】
2005146526.tif 000004
【図３】
2005146526.tif 000005
【図４】
2005146526.tif 000006
【図５】
2005146526.tif 000007
【図６】
2005146526.tif 000008
【図７】
2005146526.tif 000009
【図８】
2005146526.tif 000010
【図９】
2005146526.tif 000011